(57)【要約】      （修正有）【課題】サブテーブルを両面使うことができ、大きなサイズでも強度の問題がないサブテーブル付きデスクを提供する。【解決手段】垂直パネル２と水平パネル３をＬ型に組み合わせＬ型サブテーブル１とする。垂直パネルの高さはキーボード、ノート型パソコンの厚みより高く、水平パネルの幅はデスク本体の左右サイドパネル７の間に収まる寸法である。ミドルパネル４は、左右サイドパネルの間にありレール等により前後にスライド可能なトップパネル５と平行し、トップパネルの下のＬ型サブテーブルの収まる位置にある。垂直パネルの水平パネルと連結していない側をミドルパネル上面の端にミドルパネルと平行にコの字型になるようヒンジ８にて取り付ける。【選択図】図３
0003164546.tif 000002
【実用新案登録請求の範囲】
【請求項１】
（１）垂直パネルと水平パネルをＬ型に組合せデスクに収納するＬ型サブテーブルとする。（２）サイズはデスクのトップパネルとその下に位置するミドルパネル、及び左右サイドパネルの間に収納可能なサイズであり、（３）垂直パネルの水平パネルと連結していない側をミドルパネルの端にミドルパネルと平行にコの字型となるようヒンジにて取り付ける。（４）収納時はサイドパネルに取り付けられた、桟、溝、レール等によりスライド可能としたＬ型サブテーブル付きミドルパネルをスライドさせ、トップパネルの下に収納する。（５）使用の際はＬ型サブテーブル付きのミドルパネルを引き出し、次いでＬ型サブテーブルをヒンジ基点に外側に１８０度回転させるとミドルパネルと平行となりサブテーブルとして使用可能となる収納可能Ｌ型サブテーブル付きデスク。
【考案の詳細な説明】
【技術分野】
【０００１】  本考案は収納可能サブテーブル付きデスクに関するものである。
【背景技術】
【０００２】  従来の多くのデスクに付属する収納可能なサブテーブルは片面しか使えず、又強度上の問題により、サイズが限られ、サブデスク上での作業が限定される。
【考案の概要】
【考案が解決しようとする課題】
【０００３】  従来の多くの収納可能なサブテーブル付きデスクのサブテーブルは片面しか使えず、又強度上サイズが大きくできずサブデスク上での作業が限定される点を解決することを課題とする。
【課題を解決するための手段】
【０００４】  （１）垂直パネルと水平パネルをＬ型に組合せデスクに収納するＬ型サブテーブルとし、（２）そのサイズはデスクのトップパネルとその下に位置するミドルパネル、及び左右サイドパネルの間に収納可能なサイズとし、（３）垂直パネルの水平パネルと連結していない側をミドルパネルの端にミドルパネルと平行にコの字型となるようヒンジにて取り付ける。（４）収納時はサイドパネルに取り付けられた、桟、溝、レール等によりスライド可能としたＬ型サブテーブル付きミドルパネルをスライドさせ、トップパネルの下に収納する。（５）使用の際はＬ型サブテーブル付きミドルパネルを引き出し、次いでＬ型サブテーブルをヒンジ基点に外側に１８０度回転させるとミドルパネルと平行となりサブテーブルが完成する。（６）上記方式により、Ｌ型サブテーブルを回転可能とすることでサブテーブルの両面使用が可能となり、垂直パネルにより水平パネルが補強されるため大きなサイズが可能となる収納可能Ｌ型サブテーブル付きデスクにより問題を解決するものである。
【考案の効果】
【０００５】  上述のような方式により、垂直パネルにより水平パネルが補強されるためサブテーブルとして大型のパネルの使用が可能となると共にＬ型サブテーブルを閉じた状態で裏面が使用でき、非常に有用である。更にＬ型サブテーブルを開いた状態でセンターパネルより下方にＬ型サブテーブル面が位置するためカップ等が転倒してお茶、コーヒー等がキーボード、書類等を駄目にする危険性の低減が可能となる。
【図面の簡単な説明】
【０００６】
【図１】Ｌ型サブテーブルを収納した状態のデスク斜視図
【図２】Ｌ型サブテーブル付きミドルパネルを引き出した状態のデスク斜視図
【図３】Ｌ型サブテーブル片方を回転した状態のデスク斜視図
【図４】左右Ｌ型サブテーブルを回転した状態のデスク斜視図
【図５】Ｌ型サブテーブル参考使用例デスク斜視図
【図６】Ｌ型サブテーブルを閉じた状態での使用例デスク斜視図
【考案を実施するための形態】
【０００７】  Ｌ型形状のサブテーブルをミドルパネルと平行にコの字型となるようヒンジにて取り付け、使用の際はサブテーブルの取り付けられたミドルパネルを引き出し、次いでＬ型サブテーブルをヒンジ中心に１８０度回転させると外側にサブテーブルが完成する。以下図１〜図６を参照して本考案を実施するための最良の形態を説明する。
【実施例】
【０００８】  図１は請求項１に該当する、Ｌ型サブテーブル１を備えたミドルパネル４を収納したデスクの参考外観図である。図示の如くサブテーブル１は垂直パネル２と水平パネル３をＬ型に組合せることにより構成され、組合せをしていない垂直パネル２の端とミドルパネル４をヒンジ８にてコの字型に連結し、外側に回転可能とする。Ｌ型サブテーブル１のサイズはトップパネル５、ミドルパネル４、及び左右サイドパネル７に収まるサイズに設定される。引き出し６は付属しない場合も請求項１に含まれる。尚、デスク形状、及びＬ型サブテーブルの付属個数は図示に限定するものではない。【０００９】  図２は図１のＬ型サブテーブル１の付属したミドルパネル４を引き出したデスクの外観斜視図である。引き出しを容易にするためスライドレール、桟、溝９等が付属する場合もあり、スライド方法は限定するものではない。【００１０】  図３は図２で説明されたＬ型サブテーブル１を１８０度回転１１させ開く過程を説明する斜視図である。尚、Ｌ型サブテーブル１は高さ、幅、奥行きは左右均等サイズに限定せず、又片方のみに大型のサブテーブルが付く場合もある。図示の如くサブテーブル１をセットした状態でミドルテーブル４より一段下にサブテーブル面が位置するため、コーヒーカップ等を倒してもキーボード、書類等、にコーヒー等がかかる危険が少なくなる。Ｌ型サブテーブル１は垂直パネル２により水平パネル３が補強されるため水平パネル３のサイズを大きくすることが可能である。更にＬ型サブテーブル１の強度を増し、載置物の落下防止のため落下防止バー、或いはパネル１０が付く場合もある。【００１１】  図４は左右に取り付けられたＬ型サブテーブル１を図２、図３の状態より１８０度外側に回転させサブテーブルとして使用可能とした状態、及び載置物落下防止バー１０を付属した場合の参考斜視図である。【００１２】  図５はデスクをパソコンデスクとして使用する場合の参考例斜視図である。キーボード１２を使用中緊急にメモ等の必要が生じた場合図示の如くＬ型サブテーブル１を回転させ戻せばＬ型サブテーブルの反対面がデスクトップとして使用可能となる。【００１３】  図６はデスクトップ面５が不足する場合図示のようにＬ型サブテーブル１の反対面がサブデスクとして活用可能な参考使用例の説明図である。図示の如く、デスクトップパネル面５とＬ型サブテーブル面１両方で小さなデスクであっても相当広いデスクトップの面積の確保が可能となる。
【符号の説明】
【００１４】  １  Ｌ型サブテーブル
２  サブテーブル垂直パネル
３  サブテーブル水平パネル
４  ミドルパネル
５  トップパネル
６  引き出し
７  サイドパネル
８  ヒンジ
９  スライドレール
１０  落下防止バー、パネル
１１  回転方向矢印
１２  キーボード
１３  デイスプレイ
１４  マウス
【図１】
0003164546.tif 000003
【図２】
0003164546.tif 000004
【図３】
0003164546.tif 000005
【図４】
0003164546.tif 000006
【図５】
0003164546.tif 000007
【図６】
0003164546.tif 000008
【手続補正書】
【提出日】平成22年9月9日(2010.9.9)
【手続補正１】
【補正対象書類名】実用新案登録請求の範囲
【補正対象項目名】全文
【補正方法】変更
【補正の内容】
【実用新案登録請求の範囲】
【請求項１】
（１）垂直パネルと水平パネルをＬ型に組み合わせＬ型サブテーブルとし、（２）垂直パネルの高さはキーボード、ノート型パソコンの厚みより高い５センチメートル以上、２０センチメートル以下であり、（３）水平パネルの幅はデスク本体の左右サイドパネルの間に収まる寸法であり、（４）ミドルパネルは左右サイドパネルの間にありレール等により前後にスライド可能なトップパネルと平行するパネルであってトップパネルの下２０センチメートルまでのＬ型サブテーブルの収まる位置であり、（５）垂直パネルの水平パネルと連結していない側をミドルパネル上面の端にミドルパネルと平行にコの字型になるようヒンジにて取り付け、（６）Ｌ型サブテーブルがミドルパネルを引き出してデスク外側にヒンジ基点に開いた状態でサブテーブルとして使用可能となる収納可能Ｌ型サブテーブル付きデスク。